(57)【要約】【課題】  磁気効率や振幅量に悪影響を及ぼさずにローリング現象を抑制できる薄型化に好適な「スピーカ」を提供すること。【解決手段】  ボビン２３に巻装されたボイスコイル２４がヨーク３２に包囲された磁気ギャップＧ内に配置されていると共に、ボビン２３の径方向外側に振動板２５がテーパ状に配置され、この振動板２５の内周縁部がボビン２３の基端部を支持しているスピーカ２１において、ヨーク３２の外壁に切欠き部３２ａを設けると共に、この切欠き部３２ａに磁性材料からなる円環状スペーサ２８を接合し、円環状スペーサ２８の軸線方向の両端面に第１のダンパ２９と第２のダンパ３０の各内周縁部を固定し、第１および第２のダンパ２９，３０の各外周縁部を振動板２５に固定して該振動板２５を両ダンパ２９，３０にて支持するようにした。【選択図】  図１
2006121422.tif 000002
【特許請求の範囲】
【請求項１】
ボビンに巻装されたボイスコイルと、ヨークに包囲された磁気ギャップを有する磁気回路と、前記ボビンの径方向外側にテーパ状に配置されて内周縁部が該ボビンの基端部を支持する振動板と、前記磁気回路に一体化されて前記振動板の外周縁部をエッジ部を介して支持するフレームとを備え、前記磁気ギャップ内に配置された前記ボイスコイルへ通電することによって前記振動板が駆動されるスピーカにおいて、
前記ヨークの外壁に切欠き部を設け、この切欠き部に磁性材料からなる円環状スペーサを接合し、この円環状スペーサの軸線方向の両端面に第１のダンパと第２のダンパの各内周縁部を固定すると共に、これら第１および第２のダンパの各外周縁部を前記振動板に固定して該振動板を両ダンパにて支持するようにしたことを特徴とするスピーカ。
【請求項２】
請求項１の記載において、前記第１のダンパと前記第２のダンパとが略同等のダンパ長に設定されていることを特徴とするスピーカ。
【発明の詳細な説明】
【技術分野】
【０００１】
本発明は動電型のスピーカに係り、特に、振動板がボイスコイルを包囲するようにテーパ状に配置されたスピーカに関する。
【背景技術】
【０００２】
従来より、テーパ状の振動板の大径な側を磁気回路側に向けて小径な内周縁部にボビンの基端部を固定することにより、ボビンの周囲に振動板を配置させる構成となし、もって全体の高さ寸法を抑えて薄型化を実現したスピーカが知られている（例えば、特許文献１参照）。
【０００３】
図２はこの種のスピーカの従来例を示す断面図である。同図に示すスピーカ１は、磁気ギャップＧを有する磁気回路２と、ボビン３の先端部分に巻装されて磁気ギャップＧ内に配置されたボイスコイル４と、テーパ状に成形されたコーン紙等からなり内周縁部がボビン３の基端部に接着固定された振動板５と、磁気回路２に固定されて振動板５の外周縁部をエッジ部６を介して支持するフレーム７と、内周縁部が磁気回路２の図示上端面に固定されて外周縁部が振動板５に固定されたダンパ８と、ボビン３に冠着された防塵キャップ９とを備えている。
【０００４】
このスピーカ１では、ボビン３の径方向外側にテーパ状に配置された振動板５がダンパ８とエッジ部６とによって振動自在に支持されており、この振動板５の内周縁部がボビン３の基端部を支持している。また、磁気回路２は、軸線方向に着磁された円環状のマグネット１０と、ポールピース部１１ａを有するヨーク１１と、マグネット１０上に載置されてポールピース部１１ａの外周面との間に磁気ギャップＧを形成しているプレート状ヨーク１２とによって構成されている。
【０００５】
このように構成されたスピーカ１は、図示せぬリード線を介してボイスコイル４に音声電流を通電すると、電磁力によりボイスコイル４が振動するので、ボビン３を介して振動板５が駆動されて振動するようになっている。そして、このスピーカ１は、テーパ状の振動板５の大径な側を磁気回路２側へ向けることによって、この振動板５がボビン３を包囲するように配置されているので、全体の高さ寸法が抑えられている。
【特許文献１】特開平４−１１１５９７号公報（第１頁、第４図）
【発明の開示】
【発明が解決しようとする課題】
【０００６】
前述した従来のスピーカ１は、振動板５をボビン３の周囲にテーパ状に配置することによって薄型化が実現されているが、この振動板５を１個のダンパ８によって支持しているだけであるため、ボビン３が振動方向に対して傾くローリング現象が生じやすいという問題があった。なお、ローリング現象を抑制するために、振動板５の前方（図示上方）にダンパを配置して該ダンパで振動板５の内周縁部を支持するという構成のスピーカも提案されているが、こうすると振動板５から放射される音波がダンパの影響で歪みを生じてしまうため好ましくない。
【０００７】
そこで、振動板を２個のダンパによって支持するダブルダンパ構造を採用してローリング現象を抑制することが考えられるが、このようなダブルダンパ構造では両ダンパの内周縁部を磁気回路のヨーク外壁に固定するスペーサ部材が必要となるため、例えば、磁気回路の形状を変更しないでヨーク外壁にスペーサ部材を固定しようとすると、該スペーサ部材の板厚分だけダンパ長が短くなって振動板の振幅量が制約されてしまい、また、ダンパ長を確保するためにヨーク外壁の板厚を薄くすると、磁束が飽和して磁気効率の悪い磁気回路になってしまうという新たな問題が発生する。
【０００８】
本発明は、このような従来技術の実情に鑑みてなされたもので、その目的は、磁気効率や振幅量に悪影響を及ぼさずにローリング現象を抑制できる薄型化に好適なスピーカを提供することにある。
【課題を解決するための手段】
【０００９】
本発明は、磁気回路のヨーク外壁に切欠き部を設け、この切欠き部に磁性材料からなる円環状スペーサを接合することによって、ダブルダンパ構造を採用した場合に懸念される不具合を解消することとした。すなわち、円環状スペーサの軸線方向一端面に内周縁部が固定された第１のダンパと、円環状スペーサの軸線方向他端面に内周縁部が固定された第２のダンパとを備え、これら第１および第２のダンパの各外周縁部を振動板に固定して該振動板を両ダンパにて支持するようにした。
【発明の効果】
【００１０】
本発明によるスピーカは、ボビンを包囲するように配置された振動板を第１のダンパと第２のダンパとが支持するダブルダンパ構造を採用しているため、全体の高さ寸法を抑えることができると共に、ボビンのローリング現象を確実に抑制することができる。また、両ダンパの内周縁部が磁性材料からなる円環状スペーサに固定され、この円環状スペーサが磁気回路のヨーク外壁に設けられた切欠き部に嵌め込まれるようになっているため、切欠き部によってヨーク外壁の板厚が薄くなっても磁気回路の磁気効率に悪影響を及ぼさずに済み、両ダンパのダンパ長を犠牲にしなくて済む。その結果、磁気効率や振幅量に悪影響を及ぼさずにローリング現象を抑制できる薄型化に好適なスピーカが実現できる。
【発明を実施するための最良の形態】
【００１１】
本発明では、ボビンに巻装されたボイスコイルと、ヨークに包囲された磁気ギャップを有する磁気回路と、前記ボビンの径方向外側にテーパ状に配置されて内周縁部が該ボビンの基端部を支持する振動板と、前記磁気回路に一体化されて前記振動板の外周縁部をエッジ部を介して支持するフレームとを備え、前記磁気ギャップ内に配置された前記ボイスコイルへ通電することによって前記振動板が駆動されるスピーカにおいて、前記ヨークの外壁に切欠き部を設け、この切欠き部に磁性材料からなる円環状スペーサを接合し、この円環状スペーサの軸線方向の両端面に第１のダンパと第２のダンパの各内周縁部を固定すると共に、これら第１および第２のダンパの各外周縁部を前記振動板に固定して該振動板を両ダンパにて支持するように構成した。
【００１２】
このように構成されたスピーカによれば、ダブルダンパ構造を採用することでボビンのローリング現象を効果的に抑制することができ、しかも、第１および第２のダンパの内周縁部を固定する円環状スペーサが磁性材料からなり、この円環状スペーサを磁気回路のヨーク外壁の切欠き部に接合しているので、磁気回路の磁気効率に悪影響を及ぼさずに済むと共に、必要とされるダンパ長を確保して振動板の振幅量が制約されることを防止できる。
【００１３】
上記の構成において、第１のダンパと第２のダンパとが略同等のダンパ長に設定されていることが好ましく、このようにするとボビンのローリング現象をより効果的に抑制することができる。
【実施例】
【００１４】
実施例について図面を参照して説明すると、図１は本発明の実施例に係るスピーカの半断面図である。
【００１５】
同図に示すスピーカ２１は、磁気ギャップＧを有する磁気回路２２と、ボビン２３の先端部分に巻装されたボイスコイル２４と、テーパ状に成形されたコーン紙等からなる振動板２５と、磁気回路２２に固定されて振動板２５の外周縁部をエッジ部２６を介して支持するフレーム２７と、磁性材料からなる円環状スペーサ２８と、内周縁部が円環状スペーサ２８の軸線方向一端面（図示上端面）に固定され外周縁部が振動板２５の外周縁部に固定された第１のダンパ２９と、内周縁部が円環状スペーサ２８の軸線方向他端面（図示下端面）に固定され外周縁部が振動板２５の外周縁部に固定された第２のダンパ３０と、ボビン２３に冠着された防塵キャップ３１とによって概略構成されており、振動板２５をボビン２３を包囲するようにテーパ状に配置することで、全体の高さ寸法が抑えられたスピーカとなっている。
【００１６】
磁気回路２２は、有底の円筒状に成形されたヨーク３２と、軸線方向に着磁された円板状のマグネット３３と、マグネット３３上に載置された円板状のポールピース３４とによって構成される内磁型であり、ヨーク３２の内周面とポールピース３４の外周面との間に磁気ギャップＧが形成されている。ヨーク３２の開口端側の外壁には円環状の切欠き部３２ａが設けられており、この切欠き部３２ａに円環状スペーサ２８が嵌め込まれている。ただし、磁気ギャップＧを包囲するヨークの外壁に円環状スペーサ２８用の切欠き部が設けられていれば、磁気回路２２の構成はこれ以外にも適宜選択可能である。
【００１７】
ボビン２３の基端部（図示上端）は振動板２５の内周縁部に接着固定されており、振動板２５は第１および第２のダンパ２９，３０とエッジ部２６とによって振動自在に支持されている。ボビン２３に巻装されたボイスコイル２４は図示せぬリード線に接続されており、このリード線を介して音声電流を通電すると電磁力によりボイスコイル２４が振動する。その結果、ボビン２３が振動して振動板２５の内周縁部が駆動されるため、振動板２５が振動して音波が放射されるようになっている。
【００１８】
円環状スペーサ２８は鉄や粉末冶金等の磁性材料を円環状に成形したものであり、この円環状スペーサ２８はヨーク３２の切欠き部３２ａに嵌め込まれて接着固定されている。この円環状スペーサ２８は、第１および第２のダンパ２９，３０の内周縁部を位置決めするというスペーサ機能と、磁気回路２２のヨーク３２を補完するというヨーク機能とを併せ持った部材である。
【００１９】
第１のダンパ２９と第２のダンパ３０のダンパ長はほぼ同等に設定されており、これら両ダンパ２９，３０の内周縁部を円環状スペーサ２８の上下両端面に接着固定することにより、両ダンパ２９，３０の内周縁部は円環状スペーサ２８の高さ寸法分だけ離隔した状態で位置決め固定されている。また、両ダンパ２９，３０は互いの外周縁部が接近するように傾斜して配置され、これら両外周縁部は一体化されて振動板２５の外周縁部に接着固定されている。これにより、振動板２５の外周縁部をエッジ部２６と第１および第２のダンパ２９，３０とによって相異なる３方向から支持することができるので、振動板２５の内周縁部に支えられているボビン２３のローリング現象を抑制する効果が高まっている。
【００２０】
このように本実施例に係るスピーカ２１は、テーパ状の振動板２５をボビン２３を包囲するように配置することにより、全体の高さ寸法が抑えられた薄型構造となっているが、この振動板２５を円環状スペーサ２８によって位置決め固定された第１のダンパ２９と第２のダンパ３０とで支持するダブルダンパ構造を採用しているため、ボビン２３のローリング現象を確実に抑制することができる。また、このスピーカ２１は、円環状スペーサ２８を嵌め込むためにヨーク３２の外壁の板厚が切欠き部３２ａにおいて薄くなってはいるが、円環状スペーサ２８は磁性材料からなりヨークの一部として機能させることができるので、磁気回路２２の磁気効率はヨーク３２に切欠き部３２ａのない場合と比べて大差ないものとなっている。つまり、ヨーク３２の外壁が切欠き部３２ａを設けたことにより部分的に薄肉になっていても、磁性材料からなる円環状スペーサ２８がヨーク機能を補完するため、磁束が飽和して磁気効率が不所望に低下する虞はない。また、このスピーカ２１は、第１および第２のダンパ２９，３０の内周縁部がヨーク３２の切欠き部３２ａ内で固定されているため、円環状スペーサ２８を付設した構成であっても各ダンパ２９，３０のダンパ長（径方向の長さ）を犠牲にしなくて済み、よって振動板２５の振幅量が制約されることもない。
【００２１】
なお、上記実施例では、ボビン２３のローリング現象を効果的に抑制するために、第１のダンパ２９と第２のダンパ３０のダンパ長をほぼ同等に設定しているが、ダンパ長の異なる２個のダンパを振動板２５の適宜部位に取り付けることによっても、ローリング現象を抑制することは可能である。
【図面の簡単な説明】
【００２２】
【図１】本発明の実施例に係るスピーカの半断面図である。
【図２】従来例に係るスピーカの断面図である。
【符号の説明】
【００２３】
２１  スピーカ
２２  磁気回路
２３  ボビン
２４  ボイスコイル
２５  振動板
２６  エッジ部
２７  フレーム
２８  円環状スペーサ
２９  第１のダンパ
３０  第２のダンパ
３２  ヨーク
３２ａ  切欠き部
Ｇ  磁気ギャップ
【図１】
2006121422.tif 000003
【図２】
2006121422.tif 000004